(57)【要約】【課題】遊技者に合った演出言語の切換えを遊技者自身に行なわせることができるとともに、そのような切換えに遊技性および興趣性を持たせることができる遊技機の提供を目的としている。【解決手段】本発明の遊技機は、遊技者によって行なわれた遊技操作が操作指示演出データにおけるいずれかの言語による指示と合致するか否かを判断し、合致している場合には、その特定の１つの言語に対応する演出データを選択して、以後、その演出データに基づいた演出を行なう。【選択図】    図１２
2006141473.tif 000002
【特許請求の範囲】
【請求項１】
遊技を制御する遊技制御手段と、
演出データを複数の言語毎に記憶する演出データ記憶手段と、
前記遊技制御手段からの情報に基づいて、前記演出データ記憶手段に記憶された演出データの中から、特定の１つの言語に対応する演出データを選択する演出データ選択手段と、
前記演出データ選択手段によって選択された演出データを表示する表示手段と、
を備え、
前記演出データ選択手段は、複数の言語により、言語毎に異なる遊技操作を遊技者に指示するとともに、その指示にしたがって遊技者が行なった遊技操作に対応する言語の演出データを前記演出データ記憶手段の中から選択することを特徴とする遊技機。
【請求項２】
前記演出データの中には、複数の言語により遊技者に言語別の操作を指示する少なくとも１つの操作指示演出データが含まれ、
前記演出データ選択手段は、遊技者による操作を検知するための操作検知手段と、この操作検知手段によって検知された操作が前記表示手段により表示される前記操作指示演出データにおけるいずれかの言語による指示と合致するか否かを判断する操作判断手段とを有するとともに、前記操作検知手段によって検知された操作が前記操作指示演出データにおける特定の１つの言語による指示に合致していると前記操作判断手段が判断すると、その特定の１つの言語に対応する演出データを前記演出データ記憶手段の中から選択することを特徴とする請求項１に記載の遊技機。
【請求項３】
遊技に必要な識別情報を変動表示する変動表示手段と、
前記変動表示手段による識別情報の変動表示動作を停止操作するための停止操作手段と、
前記遊技制御手段からの情報と前記停止操作手段による停止操作態様とに基づいて、前記変動表示手段による変動表示を停止制御する停止制御手段と、
を備え、
前記操作検知手段は、遊技者による前記停止操作手段の操作を検知することを特徴とする請求項２に記載の遊技機。
【請求項４】
前記停止操作手段の操作が複数存在し、各操作がそれぞれ異なる言語に対応付けられていることを特徴とする請求項３に記載の遊技機。
【発明の詳細な説明】
【技術分野】
【０００１】
本発明は、パチンコ遊技機やスロットマシン等の遊技機に関する。
【背景技術】
【０００２】
一般に、パチンコ遊技機やスロットマシン等の遊技機においては、遊技状態等に応じて、画像表示、光、音等によって所定の演出が行なわれる。また、遊技のナビゲーションが行なわれる場合もある。そして、このような演出（特に、画像表示や音声による演出）やナビゲーションには、多かれ少なかれ、言語が含まれる。
【０００３】
しかしながら、例えば日本人向けに製造された遊技機においては、日本語という１種類の言語のみで演出等がなされるため、日本語が分からない外国人がそのような演出等を十分に楽しんだり理解することができないことも考えられる。
【０００４】
そのため、従来から、異なる複数種類の言語で演出等を行なえる遊技機が提案されている（例えば、特許文献１参照）。
【特許文献１】特開２００４−１６５７５号公報
【発明の開示】
【発明が解決しようとする課題】
【０００５】
ところで、特許文献１に開示された遊技機にあっては、その筐体の内部に設けられた専用の設定操作部によって演出等における言語の切換えを行なうようになっており、遊技者が言語の選択を行なうことはできない。
【０００６】
また、一般に、「日本語」「英語」等といった表示を画面上に出現させ、いずれかの言語を遊技者に選択させる遊技機も存在するが、その選択自体に遊技性はなく、また、遊技操作以外にそのような選択操作を伴うことから、操作が煩雑となり、興趣の減退を招くことも考えられる。また、それによって、遊技を継続しようとする遊技者の熱意が削がれる虞もある。
【０００７】
本発明は、前記事情に着目してなされたものであり、その目的とするところは、遊技者に合った演出言語の切換えを遊技者自身に行なわせることができるとともに、そのような切換えに遊技性および興趣性を持たせることができる遊技機を提供することにある。
【課題を解決するための手段】
【０００８】
前記課題を解決するために、請求項１に記載された遊技機は、遊技を制御する遊技制御手段と、演出データを複数の言語毎に記憶する演出データ記憶手段と、前記遊技制御手段からの情報に基づいて、前記演出データ記憶手段に記憶された演出データの中から、特定の１つの言語に対応する演出データを選択する演出データ選択手段と、前記演出データ選択手段によって選択された演出データを表示する表示手段とを備え、前記演出データ選択手段は、複数の言語により、言語毎に異なる遊技操作を遊技者に指示するとともに、その指示にしたがって遊技者が行なった遊技操作に対応する言語の演出データを前記演出データ記憶手段の中から選択することを特徴とする。
【０００９】
この請求項１に記載された遊技機によれば、複数の言語により、言語毎に異なる遊技操作を遊技者に指示するとともに、その指示にしたがって遊技者が行なった遊技操作に対応する言語の演出データを演出データ記憶手段の中から選択して表示するようになっているため、遊技者に合った演出言語の切換えを遊技者自身が行なえることは勿論のこと、演出言語の切換え操作がそのまま遊技操作にもなっていることから（遊技操作以外に演出言語の切換え操作を行なう必要がないため）、操作が煩雑になることはなく、演出言語の切換え操作によってかえって興趣の向上が図られることにもなる。また、遊技者が理解できる言語による演出を実行することで、遊技を継続しようとする遊技者の熱意を持続させることも可能になる。つまり、請求項１に記載された遊技機によれば、遊技者が遊技の流れの中で演出言語の切換え操作を無意識のうちに行なうことができるため、操作の煩雑さを感じさせることがないばかりか、演出言語の切換え換え操作自体に遊技性を持たせることができ、更なる興趣の向上を図ることが可能になる。
【００１０】
なお、前記演出データ選択手段が複数の言語により遊技者に対して行なう言語毎に異なる遊技操作の指示は、前記表示手段に表示される表示画面（例えば、演出画面）を通じて行なわれても良く、あるいは、音声等によって行なわれても良い。
【００１１】
また、請求項２に記載された遊技機は、請求項１に記載された遊技機において、前記演出データの中には、複数の言語により遊技者に言語別の操作を指示する少なくとも１つの操作指示演出データが含まれ、前記演出データ選択手段は、遊技者による操作を検知するための操作検知手段と、この操作検知手段によって検知された操作が前記表示手段により表示される前記操作指示演出データにおけるいずれかの言語による指示と合致するか否かを判断する操作判断手段とを有するとともに、前記操作検知手段によって検知された操作が前記操作指示演出データにおける特定の１つの言語による指示に合致していると前記操作判断手段が判断すると、その特定の１つの言語に対応する演出データを前記演出データ記憶手段の中から選択することを特徴とする。
【００１２】
この請求項２に記載された遊技機によれば、請求項１に記載された遊技機と同様の作用効果が得られるとともに、演出言語の切換え操作を遊技の演出の中で行なうことができるため、興趣の向上に寄与できる。
【００１３】
また、請求項３に記載された遊技機は、請求項２に記載された遊技機において、遊技に必要な識別情報を変動表示する変動表示手段と、前記変動表示手段による識別情報の変動表示動作を停止操作するための停止操作手段と、前記遊技制御手段からの情報と前記停止操作手段による停止操作態様とに基づいて、前記変動表示手段による変動表示を停止制御する停止制御手段とを備え、前記操作検知手段は、遊技者による前記停止操作手段の操作を検知することを特徴とする。
【００１４】
この請求項３に記載された遊技機によれば、請求項２に記載された遊技機と同様の作用効果が得られるとともに、言語別の演出データの選択が、変動表示する識別情報を停止操作するという遊技操作に関連付けられるため、遊技との一体感が増し、興趣性を格段に高めることが可能になる。
【００１５】
また、請求項４に記載された遊技機は、請求項３に記載された遊技機において、前記停止操作手段の操作が複数存在し、各操作がそれぞれ異なる言語に対応付けられていることを特徴とする。
【００１６】
この請求項４に記載された遊技機によれば、請求項３に記載された遊技機と同様の作用効果が得られるとともに、各遊技操作と各言語とが対応付けられるため、言語の判別を簡単且つ効率的に行なうことができるとともに、遊技性も飛躍的に向上する。
【発明の効果】
【００１７】
本発明の遊技機によれば、遊技者に合った演出言語の切換えを遊技者自身に行なわせることができるとともに、そのような切換えに遊技性および興趣性を持たせることができる。
【発明を実施するための最良の形態】
【００１８】
以下、図面を参照しながら、本発明の一実施形態について説明する。
【００１９】
図１には、本発明の一実施形態に係る遊技機としてのスロットマシンが示されている。図示のように、本実施形態に係るスロットマシン１は、前面に開閉可能なドア（前面扉）２を有する箱体１ａを備えている。ドア２には、その前面のほぼ中央より上部に、パネル表示部２ａと、各種の演出表示を行なう画像表示装置（表示手段）を構成する液晶表示部２ｂと、固定表示部２ｃとが設けられている。前面扉２の内部（液晶表示部２ｂの背面）には、３個の変動表示手段としての変動表示装置（ここでは、機械的に回転する３個の回転リールで構成されている；以下、リールと称する）３Ｌ，３Ｃ，３Ｒが回転自在に横一列に配設されており、これら各リール３Ｌ，３Ｃ，３Ｒの外周表面には、複数種類の図柄によって構成される図柄列が描かれている。各リール３Ｌ，３Ｃ，３Ｒに形成された図柄は、矩形の図柄表示領域２１Ｌ，２１Ｃ，２１Ｒを通して視認できるようになっており、各リール３Ｌ，３Ｃ，３Ｒは、定速回転（例えば、８０回転／分）可能に構成されている。
【００２０】
パネル表示部２ａ、液晶表示部２ｂ、固定表示部２ｃの下方には、略水平面の台座部４が形成されている。この台座部４の左側には、押しボタン操作によりクレジットされている遊技媒体としてのメダルを賭けるための最大ＢＥＴボタン１３が設けられており、その左側には、同様に１−ＢＥＴボタン１１および２−ＢＥＴボタン１２が設けられている。また、台座部４の右側には、メダルを投入する投入口１０が設けられており、その前面部左寄りには、遊技者がゲームで獲得したメダルのクレジット／払出しを押しボタン操作で切り換えるＣ／Ｐボタン１４が設けられている。このＣ／Ｐボタン１４の切り換えにより、正面下部のメダル払出し口１５からメダルが払い出され、払い出されたメダルはメダル受け部５に溜められる。
【００２１】
Ｃ／Ｐボタン１４の右側には、遊技者の操作によりリール３Ｌ，３Ｃ，３Ｒを回転させ、図柄表示領域２１Ｌ，２１Ｃ，２１Ｒ内での図柄の変動を開始（ゲームを開始）するためのスタートレバー６が所定の角度範囲で回動自在に取り付けられている。また、台座部４の前面中央部で、スタートレバー６の右側には、３個のリール３Ｌ，３Ｃ，３Ｒの回転をそれぞれ停止させるための３個の停止ボタン（停止操作手段）７Ｌ，７Ｃ，７Ｒが設けられている。また、メダル受け部５の上方の左右には、スピーカ９Ｌ，９Ｒが設けられている。
【００２２】
パネル表示部２ａは、ボーナス遊技情報表示部１６、ＢＥＴランプ１１７ａ〜１１７ｃ、払出表示部１８、クレジット表示部１９等によって構成される。ボーナス遊技情報表示部１６は、７セグメントＬＥＤから成り、ボーナスゲーム中の遊技情報を表示する。１−ＢＥＴランプ１１７ａ、２−ＢＥＴランプ１１７ｂ及び最大ＢＥＴランプ１１７ｃは、ゲームを行なうために賭けられたメダルの数に応じて点灯するものであり、１−ＢＥＴランプ１１７ａは、ＢＥＴ数が「１」の場合に点灯し、２−ＢＥＴランプ１１７ｂは、ＢＥＴ数が「２」の場合に点灯し、最大ＢＥＴランプ１１７ｃは、ＢＥＴ数が「３」の場合に点灯する。また、払出表示部１８およびクレジット表示部１９は、それぞれ７セグメントＬＥＤから構成されており、入賞成立時のメダルの払出枚数及び貯留(クレジット)されているメダルの枚数を表示する。なお、それ以外にも、例えば、遊技動作を表示するランプや、役物作動回数を表示する表示部等が設けられていても良い。
【００２３】
図２に明確に示されるように、液晶表示部２ｂは、図柄表示領域（表示領域）２１Ｌ，２１Ｃ，２１Ｒと、これらを囲むようにして設けられた窓枠表示領域（枠領域）２２Ｌ，２２Ｃ，２２Ｒと、演出表示領域２３とを備えており、窓枠表示領域２２Ｌ，２２Ｃ，２２Ｒは、リール３Ｌ，３Ｃ，３Ｒ上に配置された図柄の表示窓の枠を表している。
【００２４】
固定表示部２ｃは、予め定めた画像を表示する領域であり、この固定表示部２ｃに表示された画像と、演出表示領域２３に表示された画像により一つの静止画像又は動画像を表示できるようになっている。
【００２５】
また、図柄表示領域２１Ｌ，２１Ｃ，２１Ｒには、入賞ラインとして、水平方向にトップライン８ｂ、センターライン８ｃ、ボトムライン８ｄが設けられるとともに、斜め方向にクロスアッブライン８ａ、クロスダウンライン８ｅが設けられている。これらの入賞ラインは、後述する１−ＢＥＴスイッチ１１、２−ＢＥＴスイッチ１２、最大ＢＥＴスイッチ１３を操作すること、あるいは、メダル投入口１０にメダルを投入することにより、それぞれ１本、３本、５本が有効化されるようになっている。また、どの入賞ラインが有効化されたかは、ＢＥＴランプ１１７ａ，１１７ｂ，１１７ｃの点灯で表示される。
【００２６】
なお、液晶表示部２ｂは、保護ガラス、表示板、液晶パネル、導光板、反射フィルム、蛍光ランプ、及び液晶パネル駆動用のＩＣを搭載したテーブルキャリアパッケージ（ＴＣＰ）からなり液晶パネルの端子部に接続されるフレキシブル基板、等を備えた透過型液晶表示装置で構成されている。
【００２７】
液晶パネルの表示モードは、ノーマリーホワイトに設定されており、液晶を駆動できない事態が生じても、図柄表示領域２１Ｌ，２１Ｃ，２１Ｒを通して、各リール３Ｌ，３Ｃ，３Ｒ上に配置された図柄を視認でき、遊技を継続できるようになっている。そして、図柄表示領域２１Ｌ，２１Ｃ，２１Ｒにある液晶を駆動しない場合には、リール３Ｌ，３Ｃ，３Ｒの図柄が視認できると共に、図柄表示領域２１Ｌ，２１Ｃ，２１Ｒにある液晶を駆動すると、その部分で表示される画像を視認することが可能となる。
【００２８】
図３は、スロットマシン１における遊技処理動作を制御する主制御回路７１と、主制御回路７１に電気的に接続する周辺装置(アクチュエータ)と、主制御回路７１から送信される制御指令に基づいて液晶表示部２ｂを構成する液晶表示装置１３１、スピーカ類９Ｌ，９Ｒ，ＬＥＤ（ランプ）類１０１を制御する副制御回路７２とを含む回路構成を示す。
【００２９】
主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行なう遊技制御手段としてのＣＰＵ３１と、記憶手段であるＲＯＭ３２およびＲＡＭ３３を含む。
【００３０】
ＣＰＵ３１には、基準クロックパルスを発するクロックパルス発生回路３４および分周器３５と、サンプリングされる乱数を発生する乱数発生器３６およびサンプリング回路３７とが接続されている。なお、乱数サンプリングのための手段として、マイクロコンピュータ３０内で、すなわち、ＣＰＵ３１の動作プログラム上で、乱数サンプリングを実行するように構成してもよい。その場合、乱数発生器３６およびサンプリング回路３７は省略可能であり、あるいは、乱数サンプリング動作のバックアップ用として残しておくことも可能である。
【００３１】
マイクロコンピュータ３０のＲＯＭ３２には、スタートレバー６を操作(スタート操作)する毎に行われる乱数サンプリングの判定に用いられる確率抽選テーブル、停止ボタン７Ｌ，７Ｃ，７Ｒの操作に応じてリールの停止態様を決定するための停止テーブル群、副制御回路７２へ送信するための各種制御指令（コマンド）等が格納されている。副制御回路７２が主制御回路７１ヘコマンド、情報等を入力することはなく、主制御回路７１から副制御回路７２への一方向で通信が行われる。ＲＡＭ３３には、種々の情報が格納される。例えば、フラグ、遊技状態の情報等が格納される。
【００３２】
図３の回路において、マイクロコンピュータ３０からの制御信号により動作が制御される主要なアクチュエータとしては、ＢＥＴランプ（１−ＢＥＴランプ１１７ａ、２−ＢＥＴランプ１１７ｂ、最大ＢＥＴランプ１１７ｃ）と、情報表示部１６，１８，１９と、メダルを収納し、ホッパー駆動回路４１の命令により所定枚数のメダルを払い出す払出手段としてのホッパー(払出しのための駆動部を含む)４０と、リール３Ｌ，３Ｃ，３Ｒを回転駆動するステッピングモータ４９Ｌ，４９Ｃ，４９Ｒとがある。
【００３３】
更に、ステッピングモータ４９Ｌ，４９Ｃ，４９Ｒを駆動制御するモータ駆動回路３９、ホッパー４０を駆動制御するホッパー駆動回路４１、各種ランプを駆動制御するランプ駆動回路４５、各種表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００３４】
また、マイクロコンピュータ３０が制御指令を発生するために必要な入力信号を発生する主な入力信号発生手段としては、スタートスイッチ６Ｓ、１−ＢＥＴスイッチ１１、２−ＢＥＴスイッチ１２、最大ＢＥＴスイッチ１３、Ｃ／Ｐスイッチ１４、メタルセンサ１０Ｓ、リール停止信号回路４６、リール位置検出回路５０、払出完了信号回路５１がある。
【００３５】
スタートスイッチ６Ｓは、スタートレバー６の操作を検出する。メダルセンサ１０Ｓは、メダル投入口１０に投入されたメダルを検出する。リール停止信号回路４６は、各停止ボタン７Ｌ，７Ｃ，７Ｒの操作に応じて停止信号を発生する。リール位置検出回路５０は、リール回転センサからのパルス信号を受けて各リール３Ｌ，３Ｃ，３Ｒの位置を検出するための信号をＣＰＵ３１へ供給する。払出完了信号回路５１は、メダル検出部４０Ｓの計数値（ホッパー４０から払出されたメダルの枚数）が指定された枚数データに達した時、メダル払出完了を検知するための信号を発生する。
【００３６】
図３の回路において、乱数発生器３６は、一定の数値範囲に属する乱数を発生し、サンプリング回路３７は、スタートレバー６が操作された後の適宜のタイミングで１個の乱数をサンプリングする。こうしてサンプリングされた乱数およびＲＯＭ３２内に格納されている確率抽選テーブルに基づいて、当選役が決定される。
【００３７】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。こうして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【００３８】
上記のようなリール３Ｌ，３Ｃ，３Ｒの回転位置とリール外周面上に描かれた図柄とを対応づけるために、図柄テーブル(図示せず)が、ＲＯＭ３２内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。
【００３９】
更に、ＲＯＭ３２内には、入賞図柄組合せテーブル(図示せず)が格納されている。この入賞図柄組合せテーブルでは、入賞となる図柄の組合せと、入賞のメダル配当枚数と、その入賞を表わす入賞判定コードとが対応づけられている。上記の入賞図柄組合せテーブルは、左のリール３Ｌ、中央のリール３Ｃ、右のリール３Ｒの停止制御時および全リール停止後の入賞確認を行なう場合に参照される。
【００４０】
上記乱数サンプリングに基づく抽選処理(確率抽選処理)により当選した場合には、ＣＰＵ３１は、遊技者が停止ボタン７Ｌ，７Ｃ，７Ｒを操作したタイミングでリール停止信号回路４６から送られる操作信号および選択された「停止テーブル」に基づいて、リール３Ｌ，３Ｃ，３Ｒを停止制御する信号をモータ駆動回路３９に送る（したがって、ＣＰＵ３１は、リール３Ｌ，３Ｃ，３Ｒの変動表示を停止制御する停止制御手段として機能する）。
【００４１】
当選した役の入賞を示す停止態様となれば、ＣＰＵ３１は、払出指令信号をホッパー駆動回路４１に供給してホッパー４０から所定個数のメダルの払出を行なう。その際、メダル検出部４０Ｓは、ホッパー４０から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー４０の駆動を停止し、「メダル払出処理」を終了する。
【００４２】
図４は、副制御回路７２の構成を示すブロック図である。副制御回路７２は、画像制御回路(gSub)７２ａと、音・ランプ制御回路(mSub)７２ｂとから構成されている。この画像制御回路(gSub)７２ａまたは音・ランプ制御回路(mSub)７２ｂは、主制御回路７１を構成する回路基板とは各々別の回路基板上に構成されている。
【００４３】
主制御回路７１と画像制御回路（gSub）７２ａとの間の通信は、主制御回路７１から画像制御回路（gSub）７２ａへの一方向で行われ、画像制御回路(gSub)７２ａが主制御回路７１ヘコマンド、情報等を入力することはない。また、画像制御回路（gSub）７２ａと音・ランプ制御回路(mSub)７２ｂとの間の通信は、画像制御回路(gSub)７２ａから音・ランプ制御回路（mSub）７２ｂへの一方向で行われ、音・ランプ制御回路（mSub）７２ｂが画像制御回路（gSub）７２ａヘコマンド、情報等を入力することはない。
【００４４】
画像制御回路（gSub）７２ａは、画像制御ＣＰＵ８２、シリアルポート８１、プログラムＲＯＭ８３、ワークＲＡＭ８５、カレンダＩＣ８６、画像制御ＩＣ８７、制御ＲＡＭ８８、画像ＲＯＭ(ＣＲＯＭ(キャラクタＲＯＭ))８４、ビデオＲＡＭ８９で構成される。
【００４５】
画像制御ＣＰＵ８２は、割込コントローラ、入出カポートを備えている。また、画像制御ＣＰＵ８２は、主制御回路７１から送信されたコマンドに基づき、プログラムＲＯＭ８３内に格納された制御プログラムに従って各種の処理を行なう。また、画像制御回路(gSub)７２ａは、クロックパルス発生回路、分周器、乱数発生器およびサンプリング回路を備えていないが、画像制御ＣＰＵ８２の動作プログラム上で乱数サンプリングを実行するように構成されている。
【００４６】
シリアルポート８１は、主制御回路７１から送信されるコマンド等を受信する。プログラムＲＯＭ８３は、画像制御ＣＰＵ８２で実行する制御プログラムや決定用テーブル等を格納する。ワークＲＡＭ８５は、画像制御ＣＰＵ８２が前述した制御プログラムを実行する場合の、作業用の一時記憶手段として構成される。
【００４７】
カレンダＩＣ８６は日付データを記憶する。このカレンダＩＣ８５とワークＲＡＭ８４とは、バックアップ対象となっている。つまり、画像制御ＣＰＵ８２に供給される電源が遮断された場合であっても、電源が供給され続け、記憶された情報等の消去が防止される。
【００４８】
画像制御ＩＣ８７は、画像制御ＣＰＵ８２により決定された演出内容に応じた画像を生成し、液晶表示装置１３１に出力する。制御ＲＡＭ８８は、画像制御ＩＣ８７の中に含まれている。画像制御ＣＰＵ８２は、この制御ＲＡＭ８８に対して情報等の書き込みや読み出しを行なう。また、制御ＲＡＭ８８には、画像制御ＩＣ８７のレジスタと、スプライト属性テーブルと、カラーパレットテーブルと、が展開されている。画像制御ＣＰＵ８２は、画像制御ＩＣ８７のレジスタと、スプライト属性テーブルとを所定のタイミングごとに更新する。
【００４９】
画像制御ＩＣ８７には、液晶表示装置１３１と、画像ＲＯＭ８４と、ビデオＲＡＭ８９とが接続されている。画像ＲＯＭ８４は、画像を生成するための画像データ、ドットデータ等を格納する。特に、本実施形態において、画像ＲＯＭ８４は、複数の言語（例えば、日本語と英語）毎に画像データ（演出データ）を記憶しており、演出データ記憶手段を構成している。また、ビデオＲＡＭ８９は、画像制御ＩＣ８７で画像を生成する場合の一時記憶手段として構成される。
【００５０】
また、画像制御ＩＣ８７は、ビデオＲＡＭ８９のデータを液晶表示装置１３１に転送終了する(１／６０秒)毎に画像制御ＣＰＵ８２に信号を送信する。また、画像制御回路（gSub）７２ａでは、画像制御ＣＰＵ８２が、音・ランプの演出の制御も行なうこととなっている。画像制御ＣＰＵ８２は、決定された演出に基づいて、音・ランプの種類および出力タイミンクを決定する。そして、画像制御ＣＰＵ８２は、所定のタイミングごとに、音・ランプ制御回路(mSub)７２ｂにシリアルポート８１を介してコマンドを送信する。音・ランプ制御回路(mSub)７２ｂでは、主に、画像制御回路（gSub）７２ａから送信されたコマンドに応じて、音・ランプの出力のみを行なうこととなる。
【００５１】
音・ランプ制御回路（mSub）７２ｂは、音・ランプ制御ＣＰＵ９２、シリアルポート９１、プログラムＲＯＭ９６、ワークＲＡＭ９５、音源ＩＣ９３、パワーアンプ９４、音源ＲＯＭ９７で構成される。
【００５２】
音・ランプ制御ＣＰＵ９２は、割込コントローラ、入出カポート(シリアルポートは図示)を備えている。音・ランプ制御ＣＰＵ９２は、画像制御回路(gSub)７２ａから送信されたコマンドに基づき、プログラムＲＯＭ９６内に格納された制御プログラムに従って音・ランプの出力処理を行なう。また、音・ランプ制御ＣＰＵ９２には、ＬＥＤ類・ランプ類１０１が接続されている。音・ランプ制御ＣＰＵ９２は、画像制御回路(gSub)７２ａから所定のタイミングで送信されるコマンドに応じて、ＬＥＤ類・ランプ類１０１に出力信号を送信する。これにより、ＬＥＤ類・ランプ類１０１が演出に応じた所定の態様で発光することとなる。
【００５３】
シリアルポート９１は、画像制御回路(gSub)７２ａから送信されるコマンド等を受信する。プログラムＲＯＭ９６は、音・ランプ制御ＣＰＵ９２で実行する制御プログラム等を格納する。ワークＲＡＭ９５は、音・ランプ制御ＣＰＵ９２が前述した制御プログラムを実行する場合の、作業用の一時記憶手段として構成される。
【００５４】
音源ＩＣ９３は、画像制御回路（gSub）７２ａから送信されたコマンドに基づいて音源を生成し、パワーアンプ９４に出力する。パワーアンプ９４は増幅器であり、このパワーアンプ９４にはスピーカ類９Ｌ，９Ｒが接続されている。パワーアンプ９４は、音源ＩＣ９３から出力された音源を増幅し、増幅した音源をスピーカ類９Ｌ，９Ｒから出力させる。音源ＲＯＭ９７は、音源を生成するための音源データ(フレーズ等)等を格納する。
【００５５】
また、音・ランプ制御ＣＰＵ９２には、音量調節部１０３が接続されている。音量調節部１０３は、遊技場の従業員等により操作可能となっており、スピーカ類９Ｌ，９Ｒから出力される音量の調節が行われる。音・ランプ制御ＣＰＵ９２は、音量調節部１０３から送信される入力信号に基づいて、スピーカ類９Ｌ，９Ｒから出力される音を入力された音量に調節する制御を行なう。
【００５６】
次に、図５および図６に示すメインフローチャートを参照して、主制御回路７１のＣＰＵ３１の制御動作について説明する。
【００５７】
図５に示すように、Ｓ１において、ＣＰＵ３１は、ＲＡＭ３３に記憶されているデータや通信データ等を初期化する。Ｓ２において、ＣＰＵ３１は、前回の単位遊技で使用されたパラメータ等をＲＡＭ３３の所定の領域から消去するとともに、今回の単位遊技で使用するパラメータ等をＲＡＭ３３の所定の領域に書き込む。
【００５８】
Ｓ３において、ＣＰＵ３１は、メダル投入処理を行なう。具体的には、ＣＰＵ３Ｉは、投入されたコインが不正なコインであるか否か判定し、投入されたコインが不正なコインである場合にはそのコインを外部に排出し、投入されたコインが不正なコインでない場合にはそのコインを受け付ける。また、ＣＰＵ３１は、前回の単位遊技においてリプレイが入賞した場合には前回の単位遊技において賭けられていたメダル枚数で今回の単位遊技を可能（いわゆる自動投入）にする。
【００５９】
Ｓ４において、ＣＰＵ３１は、メダルが投入（自動投入を含む）されたか否か判定する。また、ＣＰＵ３１は、この判定がＹＥＳである場合にはＳ５の処理に移り、ＮＯである場合にはＳ６の処理に移る。Ｓ５において、ＣＰＵは、メダルが投入される毎に、投入されたメダル枚数を含むメダル投入コマンドを副制御回路７２に送信する。この副制御回路７２は、入力されたメダル投入コマンドに基づいて所定のメダル投入処理を行なう。
【００６０】
Ｓ６において、ＣＰＵ３１は、投入されたメダル枚数が最大枚数（ここでは３枚）に達しているか否か判定する。また、ＣＰＵ３１は、この判定がＹＥＳである場合にはＳ７の処理に移り、ＮＯである場合にはＳ３の処理に戻る。
【００６１】
Ｓ７において、ＣＰＵ３１は、スタートレバー６に対する所定の操作に基づくスタートスイッチ６Ｓからの入力信号があるか否か判定する。また、メインＣＰＵ３１は、この判定がＹＥＳである場合にはＳ８の処理に移り、ＮＯである場合にはＳ３の処理に戻る。
【００６２】
Ｓ８において、ＣＰＵ３１は、乱数発生器３６によって発生した乱数をサンプリング回路３７によって抽出する。Ｓ９〜Ｓ１３において、ＣＰＵ３１は、遊技状態監視処理、ＦＴ（第１確率再遊技状態）遊技数制御処理、確率抽選処理、内部当選役変更処理、ＦＴ終了抽選処理を順次に行なう。
【００６３】
Ｓ１４において、ＣＰＵ３１は、Ｓ１１の確率抽選処理で決定された内部当選役又はＳ１２の内部当選役変更処理で変更された内部当選役を停止用当選役にセットする。Ｓ１５において、ＣＰＵ３１は、モード抽選処理を行なう。また、Ｓ１６において、ＣＰＵ３１は、Ｓ１４でセットされた停止用当選役及び停止制御用遊技状態に応じて停止テーブル及び入賞ラインを選択する。Ｓ１７において、ＣＰＵ３１は、スタートコマンド送信処理を行なう。
【００６４】
また、Ｓ１８において、ＣＰＵ３１は、前回の単位遊技を開始してから４.１秒が経過しているか否か判定する。また、ＣＰＵ３１は、この判定がＹＥＳである場合にはＳ２０の処理に移り、ＮＯである場合にはＳ１９の処理に移る。Ｓ１９において、ＣＰＵ３１は、ゲーム開始待ち時間を消化する。具体的には、ＣＰＵ３１は、単位遊技を開始するための遊技者による所定の操作に応じた入力を無効とする。
【００６５】
Ｓ２０において、ＣＰＵ３１は、１ゲーム監視用タイマをセットする。なお、１ゲーム監視用タイマとは、各単位遊技における経過時間を監視するタイマであり、停止ボタン７Ｌ,７Ｃ,７Ｒに対する所定の操作によらずに、リール３Ｌ,３Ｃ,３Ｒの回転を自動的に停止するための自動停止タイマを含むものである。
【００６６】
Ｓ２１において、ＣＰＵ３１は、リール３Ｌ,３Ｃ,３Ｒの回転の開始を許可する。Ｓ２２において、ＣＰＵ３１は、リール３Ｌ,３Ｃ,３Ｒの回転の停止を許可するリール停止許可コマンドを送信する。そして、ＣＰＵ３１は、停止ボタン７Ｌ,７Ｃ,７Ｒに対する所定の操作に基づいて入力を有効化する。
【００６７】
図６を参照すると、Ｓ２３において、ＣＰＵ３１は、停止ボタン７Ｌ,７Ｃ,７Ｒのいずれかに対して所定の操作が行われたか否か（停止ボタン７Ｌ,７Ｃ,７Ｒがオンされたか否か）判定する。具体的には、ＣＰＵ３１は、リール停止信号回路４６からの停止指令信号に基づいて、停止ボタン７Ｌ，７Ｃ,７Ｒがオンされたか否か判定する。また、ＣＰＵ３１は、この判定がＹＥＳである場合にはＳ２５の処理に移り、ＮＯである場合にはＳ２４の処理に移る。
【００６８】
Ｓ２４において、ＣＰＵ３１は、自動停止タイマの値がOか否か、すなわちリール３Ｌ,３Ｃ,３Ｒの回転を自動的に停止するか否か判定する。また、ＣＰＵ３１は、この判定がＹＥＳである場合にはＳ２５の処理に移り、ＮＯである場合にはＳ２３の処理に戻る。
【００６９】
Ｓ２５において、ＣＰＵ３１は、Ｓ１４で決定した停止用当選役及びリール停止信号回路４６からの停止指令信号が入力されたタイミング（停止ボタン７Ｌ，７Ｃ,７Ｒが操作されたタイミング）に基づいて、滑りコマ数を決定する。なお、この滑りコマ数は、リール停止信号回路４６からの停止指令信号が入力されてから実際にリール３Ｌ,３Ｃ,３Ｒの回転を停止させるまでに、所定数（例えば、４コマ）を上限として移動させる図柄の数である。すなわち、停止用当選役に係る図柄が０コマ〜４コマの範囲内にあるタイミングで、停止ボタン７Ｌ,７Ｃ，７Ｒが操作された場合には、停止用当選役に係る図柄を揃えることができる場合があるが、停止用当選役に係る図柄が０コマ〜４コマの範囲内にないタイミングで、停止ボタン７Ｌ,７Ｃ,７Ｒが操作された場合には、停止用当選役に係る図柄を揃えることができない。
【００７０】
Ｓ２６において、ＣＰＵ３１は、Ｓ２５で決定した滑りコマ数分、停止操作されたリールが回転するのを待つ。Ｓ２７において、ＣＰＵ３１は、該当するリールの回転を停止するように指示する。Ｓ２８において、ＣＰＵ３１は、停止されたリールに係る情報（所定の有効ライン（例えば、センターライン８c）上の図柄に係る図柄番号、停止させたリールの識別子（停止リール識別子）、リールが回転中であるか否かを示すリール回転識別子（左、中又は右のいずれか）等）を示すリール停止コマンドを副制御回路７２に送信する。Ｓ２９において、ＣＰＵ３１は、全リールが停止したか否か判定する。また、ＣＰＵ３１は、この判定がＹＥＳである場合にはＳ３０の処理に移り、ＮＯである場合にはＳ２３の処理に戻る。
【００７１】
Ｓ３０において、ＣＰＵ３１は、入賞検索処理を行なう。具体的には、ＣＰＵ３１は、有効ラインに判定用当選役に係る図柄組合せが揃っているか否か判定する。また、ＣＰＵ３１は、有効ラインに揃った図柄組合せに対応する入賞役を特定するフラグ（入賞フラグ）をセットする。
【００７２】
Ｓ３１において、ＣＰＵ３１は、Ｓ３０でセットした入賞フラグが正常であるか否か判定する。また、ＣＰＵ３１は、この判定がＹＥＳである場合にはＳ３３の処理に移り、ＮＯである場合にはＳ３２の処理に移る。具体的には、ＣＰＵ３１は、入賞役が内部当選役に含まれる場合、又は入賞役が持越役に含まれる場合に入賞役が正常と判定する。
【００７３】
Ｓ３２において、ＣＰＵ３１は、入賞フラグが正常でないことを示すイリーガルエラーを表示する。Ｓ３３において、ＣＰＵ３１は、入賞フラグによって特定される入賞役、該入賞役に係る図柄組合せが揃った有効ライン等を示す入賞コマンド（２４ビットのパラメータ）を副制御回路７２に送信する。
【００７４】
Ｓ３４において、ＣＰＵ３１は、入賞役に対応するメダルの払出枚数が０であるか否か判定する。また、ＣＰＵ３１は、この判定がＹＥＳである場合にはＳ３６の処理に移り、ＮＯである場合にはＳ３５の処理に移る。Ｓ３５において、ＣＰＵ３１は、入賞役に対応するメダルの貯留又は払出を行なう。
【００７５】
Ｓ３６において、ＣＰＵ３１は、メダルの払出が終了したことを示す払出終了コマンドを副制御回路７２に送信する。Ｓ３７において、ＣＰＵ３１は、ＢＢ（ビックボーナス）作動中フラグ又はＲＢ（レギュラーボーナス）作動中フラグがオンであるか否か判別する。また、ＣＰＵ３１は、この判定がＹＥＳである場合にはＳ３８の処理に移り、ＮＯである場合にはＳ３９の処理に移る。
【００７６】
ここで、ＢＢ作動中フラグは、遊技状態がＢＢ遊技状態であるか否か判別するためのフラグである。ＲＢ作動中フラグは、遊技状態がＲＢ遊技状態であるか否か判別するためのフラグである。ＢＢ作動中フラグ及びＲＢ作動中フラグは、所定のＢＢ・ＲＢ作動チェック処理でオンされる。
【００７７】
Ｓ３８において、ＣＰＵ３１は、ＢＢゲーム数チェック、ＲＢゲーム数チェックを行なう。また、Ｓ３９において、ＣＰＵ３１は、所定のＢＢ・ＲＢ作動チェック処理を行なう。
【００７８】
以上のように、ＣＰＵ３１は、Ｓ２〜Ｓ３９の処理を１回の単位遊技における処理として行ない、これらの処理が終了すると、次の単位遊技に備えて再びＳ２の処理に戻る。
【００７９】
図７〜図１１は、前述した画像制御ＣＰＵ８２の動作の一部を示すフロー図である。なお、画像制御ＣＰＵ８２は、主制御回路７１から受信したコマンド及びワ一クＲＡＭ８５の各作業領域に記憶された情報等に基づいて動作する。
【００８０】
図７は、ＲＥＳＥＴ割込処理を示すフロー図である。図７に示すように、Ｓ１O１において、画像制御ＣＰＵ８２は、ワークＲＡＭ８５の各作業領域に記憶されたデータ、制御ＲＡＭ８８やビデオＲＡＭ８９に記憶されたデータを初期化する。Ｓ１０２において、画像制御ＣＰＵ８２は、入力監視処理を行なう。
【００８１】
Ｓ１０３において、画像制御ＣＰＵ８２は、主制御回路７１から受信したコマンドに応じた各処理を行なう。具体的には、画像制御ＣＰＵ８２は、主制御回路７１から受信したコマンドに基づいて、液晶表示装置１３１、ＬＥＤ類・ランプ類１０１、スピーカ類９Ｌ，９Ｒを用いて行なう演出内容を決定する。
【００８２】
Ｓ１０４において、画像制御ＣＰＵ８２は、決定した演出内容（ＬＥＤ類・ランプ類１０１、スピーカ類９Ｌ，９Ｒに係る演出データ）に対応する処理を実行するように指示するコマンドを音・ランプ制御回路７２ｂに出力する。また、画像制御ＣＰＵ８２は、決定した演出データに基づいて、画像ＲＯＭ８４から画像データを読み出し、読み出した画像データおよび該画像データの表示位置や大きさに係る情報を画像制御ＩＣ８７（ＶＤＰ）に送信する。また、画像制御ＩＣ８７（ＶＤＰ）は、受信した画像データ（キャラクタ等）及び該画像データの表示位置や大きさに係る情報に基づいて、液晶表示装置１３１に表示する画像（１フレーム）に係る画像データ（１フレーム）を、ビデオＲＡＭ８９に備えられた一方のフレームバッファ領域に格納する。
【００８３】
Ｓ１０５において、画像制御ＣＰＵ８２は、ＶＤＰカウンタが２であるか否か判定する。なお、ＶＤＰカウンタは、所定の周期（１／６０秒毎）に発生することによってカウントアップされる。また、画像制御ＣＰＵ８２は、この判定がＹＥＳである場合にはＳ１０６の処理に移り、ＮＯである場合にはＶＤＰカウンタが２となるまで待機状態となる。
【００８４】
Ｓ１０６において、画像制御ＣＰＵ８２は、ＶＰＤカウンタに０をセットする。また、Ｓ１０７において、画像制御ＣＰＵ８２は、画像制御ＩＣ８７に対してバンク切替えを指示する。すなわち、画像制御ＣＰＵ８２は、画像制御ＩＣ８７に対して液晶表示装置１３１に表示する画像の切替えを１／３０秒毎に指示する。これにより、液晶表示装置１３１に、演出内容を動画像として表示することが可能となる。
【００８５】
図８は、主制御回路７１からコマンドを受信する毎に発生する割込処理を示すフロー図である。図８に示すように、Ｓ１１１において、画像制御ＣＰＵ８２は、主制御回路７１からコマンドを、未処理コマンドとして、作業領域名が未処理コマンド格納領域であるワークＲＡＭ８５の作業領域に格納する。
【００８６】
図９は、図７のＲＥＳＥＴ割込処理におけるＳ１０３のコマンド入力処理を示すフロー図である。図９に示すように、Ｓ１０３-１において、画像制御ＣＰＵ８２は、主制御回路７１から入力された未処理のコマンドに対応するデータがワークＲＡＭ８５の作業領域に記憶されているか否か判定する。また、画像制御ＣＰＵ８２は、この判定がＹＥＳである場合にはＳ１０３-２の処理に移り、ＮＯである場合にはコマンド入力処理を終了する。
【００８７】
Ｓ１０３-２において、画像制御ＣＰＵ８２は、ワークＲＡＭ８５の作業領域記憶されたコマンドに基づいて、当該コマンドに対応する処理を行なう。Ｓ１０３-３において、画像制御ＣＰＵ８２は、Ｓ１０３-２で行なわれた処理に対応する未処理コマンドを処理済にする。
【００８８】
図１０は、図９のコマンド処理のＳ１０３-２において未処理のコマンドの種類がスタートコマンドである場合に、ジャンプする先の遊技開始処理を示すフロー図である。図１０に示すように、Ｓ３０１において、画像制御ＣＰＵ８２は、主制御回路７１から図５に示すＳ１７で出力されたスタートコマンドに基づいて、判定用当選役識別子をワークＲＡＭ８５の所定の作業領域に格納する。
【００８９】
Ｓ３０２において、画像制御ＣＰＵ８２は、前回の単位遊技における持越役と今回の単位遊技における持越役とが一致しているか否か比較する。Ｓ３０３において、画像制御ＣＰＵ８２は、前回の単位遊技における持越役（持越役有り/無し）と今回の単位遊技における持越役（持越役有り／無し）とが異なる場合にはＳ３０４の処理に移り、前回の単位遊技における持越役と今回の単位遊技における持越役とが異ならない場合にはＳ３０５の処理に移る。
【００９０】
Ｓ３０４において、画像制御ＣＰＵ８２は、ワークＲＡＭ８５の作業領域に格納された特定カウンタ（怪しかったカウンタ）に３をセットし、Ｓ３１２の処理に移行する。
【００９１】
Ｓ３０５において、画像制御ＣＰＵ８２は、特定カウンタが０であるか否か判定する。また、画像制御ＣＰＵ８２は、この判定がＹＥＳである場合にはＳ３０７の処理に移り、ＮＯである場合にはＳ３０６の処理に移る。Ｓ３０６において、画像制御ＣＰＵ８２は、特定カウンタ（怪しかったカウンタ）から１を減算する。
【００９２】
Ｓ３０７において、画像制御ＣＰＵ８２は、ワークＲＡＭ８５の作業領域に格納された残り遊技数カウンタが０であるか否かを判定する。また、画像制御ＣＰＵ８２は、この判定がＹＥＳである場合にはＳ３０８の処理に移り、ＮＯである場合にはＳ３１１の処理に移る。
【００９３】
Ｓ３０８において、画像制御ＣＰＵ８２は、スタートコマンドに含まれている持越役及びＦＴ（所定確率の再遊技状態）延長遊技数に基づいて、所定のテーブル（ここでは、演出決定テーブルＡ）を参照して演出データを決定する。
【００９４】
Ｓ３０９において、画像制御ＣＰＵ８２は、Ｓ３０８で決定された演出データが「ハズレ」であるか否か判定する。また、画像制御ＣＰＵ８２は、この判定がＹＥＳである場合にはＳ３１１の処理に移り、ＮＯである場合にはＳ３１０の処理に移る。Ｓ３１０において、画像制御ＣＰＵ８２は、スタートコマンドに含まれている持越役及び停止用当選役に基づいて、所定のテーブル（ここでは、演出決定テーブルＢ）を参照して演出データを決定する。
【００９５】
Ｓ３１１において、画像制御ＣＰＵ８２は、決定された演出データに基づいて、所定の演出テーブルを参照して演出識別子及び残り演出遊技数カウンタをセットする。
【００９６】
Ｓ３１２において、画像制御ＣＰＵ８２は、ワークＲＡＭ８５の作業領域に格納された演出テーブル、演出識別子及び残り演出遊技数カウンタに基づいて、演出データ（スタートレバー）を選択する。続いて、Ｓ３１３において、画像制御ＣＰＵ８２は、Ｓ３１２で選択された演出データが、複数の言語により遊技者に言語別の操作を指示する操作指示演出データとしての演出切換用演出データであるか否かを判断する。この判断がＹＥＳの場合には、Ｓ３１４において演出切換フラグがＯＮされ、ＮＯの場合には、Ｓ３１５の処理に移行する。
複数の言語により遊技者に言語別の操作を指示する演出切換用演出データに基づく画像表示の一例が図１２に示されている。この図１２の例において、演出切換用演出データに基づく画像は、遊技者がスタートレバー６を操作した時点から液晶表示画面の演出表示領域２３に表示され、日本語と英語の両方で遊技者にリール３Ｌ，３Ｃ，３Ｒの停止操作を指示する。ただし、日本語では、停止ボタン７Ｌを用いて左側のリール３Ｌを停止する指示がなされているが、英語では、停止ボタン７Ｒを用いて右側のリール３Ｒを停止する指示がなされている。すなわち、画像制御ＣＰＵ８２は、英語と日本語とにより、言語毎に異なる遊技操作を遊技者に指示する。
続いて、Ｓ３１５において、画像制御ＣＰＵ８２は、全てのリール３Ｌ，３Ｃ，３Ｒが回転中であるため、左リール回転識別子、中リール回転識別子及び右リール回転識別子にそれぞれ１をセットする。
【００９７】
図１１は、図９のコマンド処理のＳ１０３-２において未処理のコマンドの種類がリール停止コマンドである場合に、ジャンプする先のリール停止処理を示す図である。図１１に示すように、Ｓ４０１において、画像制御ＣＰＵ８２は、主制御回路７１から図６に示すＳ２８で出力されたリール停止コマンドに基づいて、停止されたリールに係る情報であるリールの識別子（停止リール識別子）を抽出し、停止リール識別子をセットする。例えば、リール３Ｌが停止した場合には、画像制御ＣＰＵ８２は、停止リール識別子に０をセットする。
【００９８】
続いて、Ｓ４０２において、画像制御ＣＰＵ８２は、演出切換フラグがＯＮであるか否かを判断する。なお、演出切換フラグは、前述したように、図１０のＳ３１４でＯＮされる。このＳ４０２の処理における判断がＹＥＳの場合には、Ｓ４０３の処理に移行し、ＮＯの場合には、Ｓ４０５の処理に移行する。
【００９９】
Ｓ４０３においては、演出テーブルを停止したリールに応じた演出テーブルへ切り換えるテーブル切換処理がなされる。このテーブル切換処理の具体的な流れが図１３に示されている。このテーブル切換処理は、主制御回路７１から送られてくるリール停止コマンドに基づいて、画像制御ＣＰＵ８２が遊技者によるリールの停止操作が行なわれたか否かを判断し（したがって、画像制御ＣＰＵ８２は、操作者によるリール３Ｌ，３Ｃ，３Ｒの操作を検知するための操作検知手段として機能する）、その判断がＹＥＳの場合に行なわれる処理である。
【０１００】
図１３に示されるように、まず、Ｓ５０１において、画像制御ＣＰＵ８２は、遊技者によるリールの停止操作が液晶表示装置１３１により表示される演出切換用演出データにおけるいずれかの言語（日本語と英語）による指示と合致するか否かを判断する（したがって、画像制御ＣＰＵ８２は、前記操作検知手段によって検知された操作が演出切換用演出データにおけるいずれかの言語による指示と合致するか否かを判断する操作判断手段として機能する）。この判断がＹＥＳの場合には、Ｓ５０２の処理に移行し、ＮＯの場合には、Ｓ５０３の処理に移行する。
Ｓ５０２において、画像制御ＣＰＵ８２は、遊技者によるリールの停止操作が日本語による指示と合致しているか否かを判断する。そして、この判断がＹＥＳの場合、画像制御ＣＰＵ８２は、日本語に対応する演出テーブルを画像ＲＯＭ８４の中から選択し、以後、日本語による演出画像を表示するように液晶表示装置１３１を制御する。一方、Ｓ５０２における判断がＮＯの場合に、画像制御ＣＰＵ８２は、Ｓ５０４において、英語に対応する演出テーブルを画像ＲＯＭ８４の中から選択し、以後、英語による演出画像を表示するように液晶表示装置１３１を制御する。すなわち、画像制御ＣＰＵ８２は、遊技制御手段としてのＣＰＵ３１からの情報に基づいて、画像ＲＯＭ８４に記憶された演出データの中から、特定の１つの言語に対応する演出データを選択するだけでなく、複数の言語により、言語毎に異なる遊技操作を遊技者に指示し、その指示にしたがって遊技者が行なった遊技操作に対応する言語の演出データを画像ＲＯＭ８４の中から選択する演出データ選択手段として機能する。
ここで、再び、図１１のリール停止処理に話を戻すと、Ｓ４０３において以上のようなテーブル切換処理がなされると、Ｓ４０４において、画像制御ＣＰＵ８２は、演出切換フラグをＯＦＦにする。続いて、Ｓ４０５において、画像制御ＣＰＵ８２は、停止されたリールが第１停止であるか否か、すなわち、停止リール識別子にO乃至２の何れかが最初にセットされたか否かを判別する。例えば、第１停止したリールが左側リール３Ｌである場合には、画像制御ＣＰＵ８２は、停止リール識別子に０（左側リール３Ｌ）をセットする。また、画像制御ＣＰＵ８２は、停止したリールに対応するリール回転識別子に０をセットする。さらに、画像制御ＣＰＵ８２は、この判定がＹＥＳである場合には、Ｓ４０６の処理に移り、ＮＯである場合にはＳ４０７の処理に移る。Ｓ４０６において、画像制御ＣＰＵ８２は、ワークＲＡＭ８５の作業領域に格納された演出テーブル、演出識別子及び残り演出遊技数カウンタに基づいて、演出データ（第１停止）を選択する。
【０１０１】
Ｓ４０７において、画像制御ＣＰＵ８２は、停止されたリールが第２停止であるか否か、すなわち、停止リール識別子に０乃至２の何れかが２番目にセットされたか否か判別する。例えば、第２停止したリールが中リール３Ｃである場合には、画像制御ＣＰＵ８２は、停止リール識別子に１（中リール３Ｃ）をセットする。また、画像制御ＣＰＵ８２は、停止したリールに対応するリール回転識別子に０をセットする。さらに、画像制御ＣＰＵ８２は、この判定がＹＥＳである場合にはＳ４０８の処理に移り、ＮＯである場合にはＳ４０９の処理に移る。Ｓ４０８において、画像制御ＣＰＵ８２は、ワークＲＡＭ８５の作業領域に格納された演出テーブル、演出識別子及び残り演出遊技数カウンタに基づいて、演出データ（第２停止）を選択する。Ｓ４０９において、画像制御ＣＰＵ８２は、ワークＲＡＭ８５の作業領域に格納された演出テーブル、演出識別子及び残り演出遊技数カウンタに基づいて、演出データ（第３停止）を選択する。
【０１０２】
以上説明したように、本実施形態のスロットマシン１では、複数の言語により、言語毎に異なる遊技操作を遊技者に指示するとともに、その指示にしたがって遊技者が行なった遊技操作に対応する言語の演出データを選択して表示するようになっているため、遊技者に合った演出言語の切換えを遊技者自身が行なえることは勿論のこと、演出言語の切換え操作がそのまま遊技操作にもなっていることから（遊技操作以外に演出言語の切換え操作を行なう必要がないため）、操作が煩雑になることはなく、演出言語の切換え操作によってかえって興趣の向上が図られることにもなる。また、遊技者が理解できる言語による演出を実行することで、遊技を継続しようとする遊技者の熱意を持続させることも可能になる。つまり、本実施形態のスロットマシン１によれば、遊技者が遊技の流れの中で演出言語の切換え操作を無意識のうちに行なうことができるため、操作の煩雑さを感じさせることがないばかりか、演出言語の切換え換え操作自体に遊技性を持たせることができ、更なる興趣の向上を図ることが可能になる。
【０１０３】
また、本実施形態のスロットマシン１によれば、演出言語の切換え操作を遊技の演出の中で行なうことができるため、興趣の向上に寄与できるとともに、言語別の演出データの選択が、リールを停止操作するという遊技操作に関連付けられるため、遊技との一体感が増し、興趣性を格段に高めることが可能になる。更に、本実施形態では、各遊技操作と各言語とが対応付けられるため、言語の判別を簡単且つ効率的に行なうことができるとともに、遊技性も飛躍的に向上する。
【０１０４】
なお、本発明は、前述した実施形態に限定されず、その要旨を逸脱しない範囲で種々変形して実施できることは言うまでもない。例えば、前述した実施形態では、判別言語が日本語と英語であったが、これ以外の言語であっても良く、また、３つ以上の言語を判別するようになっていても構わない。また、前述した実施形態では、複数の言語により遊技者に対して行なう言語毎に異なる遊技操作の指示が表示画面（演出画面）によって行なわれているが、音声等によって行なわれても良い。
【産業上の利用可能性】
【０１０５】
本発明は、スロットマシンのみならず、パチンコ機等の様々な遊技機に適用することができる。
【図面の簡単な説明】
【０１０６】
【図１】本発明の遊技機の一例を示すスロットマシンの斜視図である。
【図２】図１のスロットマシンの遊技領域の拡大図である。
【図３】図１のスロットマシンの制御回路（主制御回路および副制御回路）を示すブロック図である。
【図４】図１のスロットマシンの副制御回路を示すブロック図である。
【図５】主制御回路におけるメイン処理のフローチャート（その１）である。
【図６】主制御回路におけるメイン処理のフローチャート（その２）である。
【図７】副制御回路で行なわれるＲＥＳＥＴ割込処理のフローチャートである。
【図８】副制御回路で行なわれる主制御回路からのコマンド受信割込処理のフローチャートである。
【図９】副制御回路で行なわれるコマンド入力処理のフローチャートである。
【図１０】副制御回路で行なわれる遊技開始処理のフローチャートである。
【図１１】副制御回路で行なわれるリール停止処理のフローチャートである。
【図１２】複数の言語により遊技者に言語別の操作を指示する演出切換用演出データに基づく画像表示の一例を示している。
【図１３】副制御回路で行なわれるテーブル切換処理のフローチャートである。
【符号の説明】
【０１０７】
１    スロットマシン（遊技機）
３Ｌ，３Ｃ，３Ｒ    リール（変動表示手段）
７Ｌ，７Ｃ，７Ｒ    停止ボタン（停止操作手段）
３１    ＣＰＵ（遊技制御手段、停止制御手段）
８２    画像制御ＣＰＵ（演出データ選択手段、操作検知手段、操作判断手段）
８８    画像ＲＯＭ（演出データ記憶手段）
１３１    液晶表示装置（表示手段）
【図１】
2006141473.tif 000003
【図２】
2006141473.tif 000004
【図３】
2006141473.tif 000005
【図４】
2006141473.tif 000006
【図５】
2006141473.tif 000007
【図６】
2006141473.tif 000008
【図７】
2006141473.tif 000009
【図８】
2006141473.tif 000010
【図９】
2006141473.tif 000011
【図１０】
2006141473.tif 000012
【図１１】
2006141473.tif 000013
【図１２】
2006141473.tif 000014
【図１３】
2006141473.tif 000015